(57)【要約】【課題】撮影した被写体が表示されるときの天方向と被写体を撮影して得られた画像データが表示されるときの画像の天方向とが異なるときに、その旨をユーザに認識させる。【解決手段】本発明の携帯端末１は、自装置の傾きを検出する傾き情報取得部１０３と、被写体を撮影して得られる画像データが表示されるときの表示画面上での被写体の天方向を示す被写体方向を、傾き情報取得部１０３が検出した傾きを示す傾き情報から決定する被写体方向決定部１０４と、画像データが表示されるときの表示画面上での表示画像の天方向を示す画像データ方向と被写体方向決定部１０４が決定した被写体方向とが一致しているか否かを判断する不一致判断部１０５と、不一致判断部１０５が判断した結果を報知する不一致報知部１０７と、を備えている。【選択図】図１
2010016473.tif 000002
【特許請求の範囲】
【請求項１】
撮影対象である被写体を撮影し記録する撮影記録装置において、
自装置の傾きを検出する傾き検出手段と、
上記被写体を撮影して得られる画像データが表示されるときの表示画面上での該被写体の天方向を示す被写体方向を、上記傾き検出手段が検出した傾きを示す傾き情報から決定する被写体方向決定手段と、
上記画像データが表示されるときの表示画面上での表示画像の天方向を示す画像データ方向と上記被写体方向決定手段が決定した被写体方向とが一致しているか否かを判断する天方向判断手段と、
上記天方向判断手段が判断した結果を報知する報知手段と、を備えていることを特徴とする撮影記録装置。
【請求項２】
上記報知手段は、上記天方向判断手段による判断結果のうち、被写体方向と画像データ方向とが一致していないと判断した結果のみを報知することを特徴とする請求項１に記載の撮影記録装置。
【請求項３】
被写体に対する焦点を調整する焦点調整手段と、
上記焦点調整手段による焦点調整が終了したことを検知し、終了を検知したことを示す検知信号を上記報知手段に出力する終了検知手段と、を備え、
上記報知手段は、上記終了検知手段から検知信号が入力されたとき、上記天方向判断手段が判断した結果を報知することを特徴とする請求項１または２に記載の撮影記録装置。
【請求項４】
回転可能な表示部と、
上記表示部がどの方向にどれだけ回転しているかを示す回転情報を取得する表示部回転情報取得手段と、
上記表示部回転情報取得手段が取得した上記表示部の回転情報に応じて、上記画像データ方向を調整する画像データ方向調整手段と、を備え、
上記天方向判断手段は、上記被写体方向と、上記画像データ方向調整手段によって調整された画像データ方向とが一致しているか否かを判断することを特徴とする請求項１〜３のいずれか１項に記載の撮影記録装置。
【請求項５】
請求項１〜４のいずれか１項に記載の撮影記録装置を備えた携帯端末。
【請求項６】
請求項１〜４のいずれか１項に記載の撮影記録装置を動作させる撮影記録装置制御プログラムであって、コンピュータを上記の各手段として機能させるための撮影記録装置制御プログラム。
【請求項７】
請求項６に記載の撮影記録装置制御プログラムを記録したコンピュータ読み取り可能な記録媒体。
【請求項８】
撮影対象である被写体を撮影し記録する撮影記録装置の制御方法であって、
自装置の傾きを検出する傾き検出ステップと、
上記被写体を撮影して得られる画像データが表示されるときの表示画面上での該被写体の天方向を示す被写体方向を、上記傾き検出ステップで検出した傾きを示す傾き情報から決定する被写体方向決定ステップと、
上記画像データが表示されるときの表示画面上での表示画像の天方向を示す画像データ方向と上記被写体方向決定手段が決定した被写体方向とが一致しているか否かを判断する天方向判断ステップと、
上記天方向判断ステップで判断した結果を報知する報知ステップと、を含むことを特徴とする撮影記録装置の制御方法。
【発明の詳細な説明】
【技術分野】
【０００１】
本発明は、撮影対象の被写体を撮影し記録する撮影記録装置、携帯端末、撮影記録装置の制御方法、撮影記録装置制御プログラムおよび該プログラムを記録したコンピュータ読み取り可能な記録媒体に関するものである。
【背景技術】
【０００２】
従来から、被写体を撮影し記録する撮影記録装置、例えばデジタルカメラやデジタルムービーカムコーダなどが存在する。このデジタルカメラやデジタルムービーカムコーダは、撮影したときのビューファインダの長手方向をもしくは短手方向の情報を用いて、該動画や静止画（画像）が表示されるときの縦横を決定している（構成１）。
【０００３】
具体的には、例えば、ビューファインダの長手方向を横方向として表示する場合、撮影時のビューファインダの長手方向を、撮影した画像の画像データの長手方向として保存する。そして、保存した画像データを表示するときに、画像データの長手方向を、横方向として表示する。
【０００４】
そして、上記構成の撮影記録装置の場合、ユーザが、撮影装置を所定より９０度回転させた状態で撮影すると、撮影時にユーザがビューファインダを通して視認する画像は、ビューファインダの長手方向が被写体の天地方向の画像となる。
【０００５】
この場合、保存される画像データの長手方向が、被写体の天地方向となり、表示される画像は被写体の天地方向が横方向となる。
【０００６】
しかしながら、ユーザは、保存された画像データの表示を行うまで、保存データが記録されている方向と、撮影時にユーザが視認していた方向との関係が崩れている（すなわち、表示させたときに被写体の天地方向が横向きに表示される）ことを認識できないことがある。
【０００７】
そして、ユーザが被写体の天地方向が横方向となっている画像データを正しく表示させるためには、表示装置（または撮影記録装置の表示部）を９０度回転させることが必要となる。
【０００８】
より詳細に、図１０を用いて説明する。図１０は、撮影記録装置を所定より９０度回転させて撮影した場合の撮影画像の表示例を示す説明図である。
【０００９】
図１０に示すように、撮影時に撮影記録装置１００２を所定より９０度回転させた状態で撮影すると、ビューファインダ１００３にはビューファインダ１００３の長手方向が被写体１００１の天地方向となるように表示される。そして、ビューファインダ１００３の長手方向が画像データの長手方向として保存され、表示される画像は、被写体１００１の天地方向が横方向となった状態となる。
【００１０】
この問題を解決するために、特許文献１には、撮影時のデジタルカメラの回転角度に関わらず、映像の方向を揃えて保存する技術が開示されている。
【００１１】
しかしながら、特許文献１の構成では、ユーザの意図とは関係なく、保存される画像データの方向が揃えられることになる。以下に、図１１、１２を用いて説明する。図１１は、特許文献１に記載の技術を用いた場合に、保存される画像データを示す説明図である。
【００１２】
図１１に示す、画像データＡ、Ｃ、Ｄは、デジタルカメラのビューファインダの長手方向を横方向にして撮影したときに保存された画像データである。また、画像データＢは、デジタルカメラのビューファインダの長手方向を縦方向にして撮影したときに保存された画像データである。
【００１３】
画像データＡ、Ｃ、Ｄは、横に長い画像データとして記録されている。一方、画像データＢは、縦に長い画像データとして記録されている。
【００１４】
これにより、以下のような問題を生じる。すなわち、画像データＡ、Ｂ、Ｃ、Ｄを横長で表示する表示装置で表示した場合、横長で保存した画像データ（画像データＡ、Ｃ、Ｄ）は表示装置に収まるが、縦長で保存した画像データ（画像データＢ）は天地が欠けて表示されるという問題である。
【００１５】
この点について、図１２を用いて説明する。図１２は、横長で保存された画像データと縦長で保存された画像データとが、それぞれ表示装置でどのように表示されるかを示す図である。
【００１６】
図１２に示すように、横長で保存された画像データ（ここでは、例として画像データＣを図示する）は、表示装置１２０２の表示エリア１２０１が横長なので、表示エリア１２０１に切れることなく全体が表示される。一方、縦長で保存された画像データＢは、表示エリア１２０１をいっぱいに使って表示しようとすると、天地が切れた画像となってしまう。また、天地を表示させようとすると左右の表示エリアを十分に使わない表示となってしまう。
【００１７】
このように、縦長の画像データと横長の画像データが混在する場合、画像データの表示を十分にできないという弊害が生じる。
【００１８】
また、撮影する画像サイズなどによって、ビューファインダの長手方向を、保存する画像データの縦方向とするか、横方向とするかを切り替えるものがある。
【００１９】
これによると、ユーザが意識しないうちに、ビューファインダの長手方向が保存する画像データの縦方向となったり、横方向となったりと保存方向が変わってしまう。
【００２０】
この問題に対し、保存される画像データの上方向を示すアイコンを表示する構成がある（構成２）。
【００２１】
保存される画像データの上方向を示すアイコンを表示する構成について、図１３を用いて説明する。図１３は、保存される画像データの上方向を示すアイコンを表示する構成についての説明図である。
【００２２】
図１３の撮影例Ａの場合、ビューファインダ右下部に、保存方向の上、すなわち、保存される画像データとして、ビューファインダで表示している画像のどの方向が上向きとなるかを示すアイコン１３０１が表示されている。
【００２３】
撮影例Ａでは、ビューファインダの長手方向を横方向に構えているとき、保存方向の上を示すアイコン１３０１はビューファインダでの左方向を指している。よって、この状態で撮影すると、ビューファインダに映っている被写体の左方向が、保存される画像データの上方向となる。この状態で撮影したときの画像データを表示すると、ビューファインダで映っていた被写体の左方向が、表示装置の上方向として表示される。
【００２４】
撮影例Ｂでは、ビューファインダの長手方向を横方向に構えているとき、保存方向の上を示すアイコン１３０１はビューファインダでの上方向を指している。よって、この状態で撮影すると、ビューファインダに映っている被写体の上方向が、保存される画像データの上方向となる。この状態で撮影したときの撮影データを表示すると、ビューファインダで映っていた被写体の上方向が、表示装置の上方向として表示される。
【特許文献１】特開２００１−１１９６６５号公報（２００１年４月２７日公開）
【発明の開示】
【発明が解決しようとする課題】
【００２５】
しかしながら、上記従来の構成では、以下のような問題を生じる。すなわち、上記従来の構成１では、撮影対象である被写体が表示されるときの天方向と、被写体を撮影して得られた画像データが表示されるときの画像の天方向とが異なっている場合であっても、ユーザはこれを認識することができない。
【００２６】
よって、ユーザは、保存されている画像データを表示させて初めて、表示される被写体の天方向と被写体の撮影して得られた画像データが表示されるとき画像の天方向とが異なっていることを認識し戸惑ってしまう。
【００２７】
また、上記従来の構成２では、上方向を示すアイコンの表示が小さく、また常に表示されているため、ユーザへ注意を促す効果が小さい。したがって、ユーザは撮影した画像が表示されるまで、撮影した画像の画像データがどの向きで保存されているか認識していない場合が多い。
【００２８】
本発明は、上記の問題点に鑑みてなされたものであり、その目的は、撮影した被写体が表示されるときの天方向と被写体を撮影して得られた画像データが表示されるときの画像の天方向とが異なるときに、その旨をユーザに認識させる撮影記録装置等を実現することにある。
【課題を解決するための手段】
【００２９】
上記課題を解決するために、本発明に係る撮影記録装置は、撮影対象である被写体を撮影し記録する撮影記録装置において、自装置の傾きを検出する傾き検出手段と、上記被写体を撮影して得られる画像データが表示されるときの表示画面上での該被写体の天方向を示す被写体方向を、上記傾き検出手段が検出した傾きを示す傾き情報から決定する被写体方向決定手段と、上記画像データが表示されるときの表示画面上での表示画像の天方向を示す画像データ方向と上記被写体方向決定手段が決定した被写体方向とが一致しているか否かを判断する天方向判断手段と、上記天方向判断手段が判断した結果を報知する報知手段と、を備えていることを特徴としている。
【００３０】
また、本発明に係る撮影記録装置の制御方法は、撮影対象である被写体を撮影し記録する撮影記録装置の制御方法であって、自装置の傾きを検出する傾き検出ステップと、上記被写体を撮影して得られる画像データが表示されるときの表示画面上での該被写体の天方向を示す被写体方向を、上記傾き検出ステップで検出した傾きを示す傾き情報から決定する被写体方向決定ステップと、上記画像データが表示されるときの表示画面上での天方向を示す画像データ方向と上記被写体方向決定手段が決定した被写体方向とが一致しているか否かを判断する天方向判断ステップと、上記天方向判断ステップで判断した結果を報知する報知ステップと、を含むことを特徴としている。
【００３１】
上記の構成および方法によれば、被写体を撮影して得られる画像データが表示されるときの表示画面上での被写体の天方向を示す被写体方向を、検出した自装置の傾きから決定する。そして、上記画像データが表示されるときの表示画面上での表示画像の天方向を示す画像データ方向と、決定した被写体方向とが一致しているか否かを判断し、その結果を報知する。
【００３２】
これにより、被写体方向と画像データ方向とが一致しているか否か示す結果を、ユーザに対し、認識させることができる。よって、ユーザが、被写体方向と画像データ方向とが一致しているか否かを認識した状態で、画像データを保存することができる。したがって、ユーザの認識のないまま、被写体方向が画像データ方向と異なる画像データが保存されることを防止できる。
【００３３】
また、被写体方向と画像データ方向とが異なる場合をユーザは認識できるので、画像データを表示させたときに、被写体の天方向が画像データの天方向と異なる方向で表示されていても、ユーザが戸惑うということはない。
【００３４】
本発明に係る撮影記録装置では、上記報知手段は、上記天方向判断手段による判断結果のうち、被写体方向と画像データ方向とが一致していないと判断した結果のみを報知するものであってもよい。
【００３５】
上記の構成によれば、報知手段は、上記天方向判断手段による判断結果のうち、被写体方向と画像データ方向とが一致していないと判断した結果のみを報知するので、ユーザは、被写体方向と画像データ方向とが不一致の場合を、より的確に認識することができる。
【００３６】
また、報知手段は、被写体方向と画像データ方向とが不一致の場合のみを報知すればよい。よって、報知手段を、例えばブザーを鳴らす、ライトを点けるなどの簡易な装置で実現することができる。
【００３７】
本発明に係る撮影記録装置では、被写体に対する焦点を調整する焦点調整手段と、上記焦点調整手段による焦点調整が終了したことを検知し、終了を検知したことを示す検知信号を上記報知手段に出力する終了検知手段とを備え、上記報知手段は、上記終了検知手段から検知信号が入力されたとき、上記天方向判断手段が判断した結果を報知するものであってもよい。
【００３８】
上記の構成によれば、報知手段は、焦点調整手段が焦点の調整を終了したことを示す検知信号が入力されると、報知を行う。これにより、焦点の調整終了後に、報知を行うので、ユーザが撮影を行う直前に報知することができる。よって、ユーザは、撮影の直前に、被写体方向と画像データ方向とが異なることを認識でき、そのまま撮影を続行するか、被写体方向と画像データ方向とが一致した状態に変更するかを再考することができる。
【００３９】
本発明に係る撮影記録装置では、回転可能な表示部と、上記表示部がどの方向にどれだけ回転しているかを示す回転情報を取得する表示部回転情報取得手段と、上記表示部回転情報取得手段が取得した上記表示部の回転情報に応じて、上記画像データ方向を調整する画像データ方向調整手段とを備え、上記天方向判断手段は、上記被写体方向と、上記画像データ方向調整手段によって調整された画像データ方向とが一致しているか否かを判断するものであってもよい。
【００４０】
上記の構成によれば、表示部回転情報取得手段が、表示部がどの方向にどれだけ回転しているかを示す回転情報を取得する。そして、画像データ方向調整手段が、表示部回転情報取得手段が取得した回転情報から画像データ方向を調整する。そして、天方向判断手段は、調整された画像データ方向と被写体方向とが一致しているか否かを判断する。
【００４１】
これにより、表示部が回転することにより画像データ方向が正しく認識できず、被写体方向と画像データ方向とが一致しているか否かを正確に判断できない場合に対応することができる。すなわち、表示部が回転したとしても、表示部の回転を考慮した画像データ方向を認識することができるので、被写体方向と画像データ方向とが一致しているか否かを正確に判断することができる。
【００４２】
よって、表示部が回転する場合であっても、正確に、被写体方向と画像データ方向とが一致しているか否かを判断することができる。
【００４３】
上述した撮影記録装置を備えている携帯端末であっても、上述した効果を奏することができる。
【００４４】
なお、上記撮影記録装置は、コンピュータによって実現してもよく、この場合には、コンピュータを上記各手段として動作させることにより上記撮影記録装置をコンピュータにて実現させる撮影記録装置の制御プログラム、およびそれを記録したコンピュータ読み取り可能な記録媒体も、本発明の範疇に入る。
【発明の効果】
【００４５】
以上のように、本発明に係る撮影記録装置は、自装置の傾きを検出する傾き検出手段と、被写体を撮影して得られる画像データが表示されるときの表示画面上での該被写体の天方向を示す被写体方向を、上記傾き検出手段が検出した傾きを示す傾き情報から決定する被写体方向決定手段と、上記画像データが表示されるときの表示画面上での表示画像の天方向を示す画像データ方向と上記被写体方向決定手段が決定した被写体方向とが一致しているか否かを判断する天方向判断手段と、上記天方向判断手段が判断した結果を報知する報知手段と、を備えている構成である。
【００４６】
また、本発明に係る撮影記録装置の制御方法は、自装置の傾きを検出する傾き検出ステップと、被写体を撮影して得られる画像データが表示されるときの表示画面上での該被写体の天方向を示す被写体方向を、上記傾き検出ステップで検出した傾きを示す傾き情報から決定する被写体方向決定ステップと、上記画像データが表示されるときの表示画面上での表示画像の天方向を示す画像データ方向と上記被写体方向決定手段が決定した被写体方向とが一致しているか否かを判断する天方向判断ステップと、上記天方向判断ステップで判断した結果を報知する報知ステップと、を含む方法である。
【００４７】
これにより、被写体方向と画像データ方向とが一致しているか否か示す結果を、ユーザに対し、認識させることができる。よって、ユーザが、被写体方向と画像データ方向とが一致しているか否かを認識した状態で、画像データを保存することができる。したがって、ユーザの認識のないまま、被写体方向が画像データ方向と異なる画像データが保存されることを防止できる。
【００４８】
また、被写体方向と画像データ方向とが異なる場合をユーザは認識できるので、画像データを表示させたときに、被写体の天方向が画像データの天方向と異なる方向で表示されていても、ユーザが戸惑うということはない。
【発明を実施するための最良の形態】
【００４９】
〔実施の形態１〕
本発明の一実施の形態について図１から図６に基づいて説明すれば、以下のとおりである。図１は、本実施の形態にかかる携帯端末（撮影記録装置）１のブロック図である。携帯端末１は、カメラ機能を備えているものである。そして、携帯端末１は、写真撮影を行うときに、撮影対象である被写体が表示されるときの天方向（被写体方向）と、被写体を撮影した画像データが表示されるときの表示画像の天方向（画像データ方向）とが異なると判断すると、ユーザに対し報知を行うものである。これにより、ユーザの認識がないままに、画像データ方向が被写体方向と異なった状態で保存されることを防止することができる。
【００５０】
具体的に、被写体方向と画像データ方向とが異なる理由について、図３を用いて説明する。図３は、ユーザが撮影を行うときに、携帯端末１やデジタルカメラの構える方向の例を示す図である。図３に示すように、ユーザは様々な方向に携帯端末１やデジタルカメラを構えることが考えられる。そして、構える方向によっては、被写体方向と画像データ方向とは一致しない。
【００５１】
なお、本実施の形態では、携帯端末１を用いて説明するが、撮影記録装置はこれに限られるものではない。撮影および記録を行える装置であれば何でもよく、例えばデジタルカメラ、デジタルムービカムコーダであってもよい。
【００５２】
また、携帯端末１は携帯電話としての機能を有するものであるが、この機能は公知の技術を用いて行うものであり、その説明は省略する。
【００５３】
図１に示すように、携帯端末１は、撮像部１１、制御部１３、操作受付部１４、傾き検出部１５、記憶部１６、表示部１７、および報知部１８を含む構成である。また、制御部１３は、操作信号取得部１０１、不一致報知設定部１０２、傾き情報取得部（傾き検出手段）１０３、被写体方向決定部（被写体方向決定手段）１０４、不一致判断部（天方向判断手段）１０５、および不一致報知部（報知手段）１０７を含む構成である。
【００５４】
撮像部１１は、レンズとＣＣＤ（charge coupled device）等の感光センサとによって構成され、レンズが捉えた被写体をＣＣＤによって信号化し、画像データとするものである。そして信号化された画像データを、表示部１７に送信する。なお、表示部１７に送信するまでに、表示部１７で表示できるように画像データを加工したり、画像の補正を行ったりするものであってもよい。
【００５５】
また、画像データは、ユーザの指示により、記憶部１６に保存される。
【００５６】
制御部１３は、撮影対象となる被写体の天方向と、被写体を撮影した画像データが保存されるときの画像データの天方向とが異なる場合に、ユーザに対し報知を行うものである。制御部１３の詳細については、後述する。
【００５７】
操作受付部１４は、ユーザからの指示を受け付け、受け付けた内容の信号を操作信号取得部１０１へ送信するものである。この操作受付部１４の例としては、シャッターボタン、ピント合わせボタン、数字、アルファベット等が割り当てられたボタンキー、方向を示す十字キー等が挙げられる。
【００５８】
傾き検出部１５は、携帯端末１の傾きを検出するものである。そして、傾き検出部１５は検出した傾きを示す傾き情報を傾き情報取得部１０３へ送信する。この傾き検出部１５の例としては、重力センサ、機械的な振り子等が挙げられる。
【００５９】
記憶部１６は、携帯端末１で撮影した画像データや、該画像データが保存される方向、携帯端末１の設定等を記憶している。この記憶部１６の例としては、フラッシュメモリが挙げられる。
【００６０】
表示部１７は、撮像部１１が撮影している画像等を表示するものである。この表示部１７としては、情報の表示が可能な表示装置であればどのような装置によって実現されてもよいが、具体的な例としては、液晶表示装置、有機ＥＬ（electro luminescence）ディスプレイが挙げられる。また、撮像部１１が撮影している画像のみを表示するのであれば、のぞき窓のような光学的なものであってもよい。
【００６１】
報知部１８は、被写体方向と画像データ方向との一致・不一致を、ユーザに対し報知するものである。この報知部１８としては、ユーザに対し報知できるものであれば何によって実現されてもよく、具定例としては、スピーカ、ＬＥＤ（light emitting diode）が挙げられる。また、報知部１８は、報知すべき情報を上述した表示部１７に出力して、当該表示部１７に報知内容を表示させるようにしてもよい。また、表示部１７とは別にＬＣＤ（liquid crystal display）を備え、当該ＬＣＤに報知内容を表示させてもよい。
【００６２】
なお、本実施の形態では、被写体方向と画像データ方向とが不一致の場合のみを報知するものとして説明する。
【００６３】
次に、制御部１３について、より詳細に説明する。上述したように、制御部１３は、操作信号取得部１０１、不一致報知設定部１０２、傾き情報取得部１０３、被写体方向決定部１０４、不一致判断部１０５、および不一致報知部１０７を含む構成である。
【００６４】
操作信号取得部１０１は、操作受付部１４が受け付けたユーザからの指示を示す信号を取得するものである。そして、取得した信号が、不一致報知を行うか否かの設定を示すものであれば、その旨を示す報知設定情報を不一致報知設定部１０２へ送信する。また、取得した信号がカメラ機能の起動を示すものであれば、その旨を占めすカメラ起動情報を傾き情報取得部１０３へ送信する。
【００６５】
不一致報知設定部１０２は、操作信号取得部１０１から報知設定情報を受信すると、携帯端末１における被写体方向と画像データ方向との不一致の報知の設定を、該報知設定情報が示す設定内容で行うように設定する。そして、設定した内容を記憶部１６に記憶する。
【００６６】
傾き情報取得部１０３は、操作信号取得部１０１からカメラ起動情報を受信すると傾き検出部１５から傾き情報を取得する。そして、取得した傾き情報を被写体方向決定部１０４に送信する。
【００６７】
被写体方向決定部１０４は、傾き情報取得部１０３から受信した傾き情報から、画像データが表示されたときの画像における被写体の天方向を決定する。そして、決定した被写体の天方向である被写体方向を示す被写体方向情報を不一致判断部１０５へ送信する。
【００６８】
より具体的に説明すると、例えば傾き検出部１５が機械的な振り子だった場合、振り子が傾いていない状態を「０」とする。そして、撮影時に携帯端末１を右へ４５度傾けていたとすると、表示画面上の被写体の方向は、携帯端末１を傾けていないときの表示画面上の被写体方向と比較して、左へ４５度傾いた方向となる。このときの、左へ４５度傾いた方向を被写体方向として決定する。
【００６９】
不一致判断部１０５は、被写体方向決定部１０４から受信した被写体方向情報が示す被写体方向と、記憶部１６に記憶されている画像データ方向とが一致するか否かを判断する。そして、被写体方向と画像データ方向とが不一致であると判断すると、不一致であることを示す不一致情報を不一致報知部１０７へ送信する。
【００７０】
例えば、機械的振り子を備えている場合で、振り子が傾いていない状態で撮影した画像の天方向と画像データ方向とが一致するときは、画像データ方向は「０度」となる。そして、上述したように携帯端末１を右へ４５度傾けて撮影した場合、被写体方向は「左４５度」となる。不一致判断部１０５は、この画像データ方向「０度」と被写体方向「左４５度」とを比較して、一致しているか否かを判断する。
【００７１】
不一致報知部１０７は、不一致判断部１０５から不一致情報を受信すると、報知部１８から不一致である旨を報知させる。また、図示しない時計部を備え、所定の時間だけ報知を行うものであってもよい。
【００７２】
なお、上記では被写体方向と画像データ方向とが不一致の場合に報知するとしたが、被写体方向と画像データ方向とが一致しているか否かを判断し、一致の場合は一致している旨を、不一致の場合は不一致である旨を報知するものであってもよい。
【００７３】
次に、図２を用いて、携帯端末１において被写体方向と画像データ方向とが異なるときに報知を行う処理の流れについて説明する。図２は、携帯端末１において被写体方向と画像データ方向とが異なるときに報知を行う処理の流れを示すフローチャートである。
【００７４】
操作受付部１４がユーザからカメラ機能を起動させる指示を受け付け、操作信号取得部１０１が、カメラの起動を示す信号を取得すると（Ｓ２０１）、不一致判断部１０５は、不一致の報知を行う設定になっているか判断する（Ｓ２０２）。不一致の報知を行う設定であれば（Ｓ２０２でＹＥＳ）、不一致判断部１０５は、被写体方向と画像データ方向とが一致しているか否かを判断する（Ｓ２０３）。そして、被写体方向と画像データ方向が不一致であれば（Ｓ２０３でＮＯ）、不一致報知部１０７は、報知部１８から不一致である旨の報知を行う（Ｓ２０４）。
【００７５】
次に、傾き情報取得部１０３が傾き検出部１５から取得した傾き情報に変化があると（Ｓ２０５でＹＥＳ）、不一致判断部１０５は再び、被写体方向と画像データ方向とが一致しているか否かを判断する（Ｓ２０７）。そして、被写体方向と画像データ方向とが一致していれば（Ｓ２０７でＹＥＳ）、不一致報知部１０７は不一致の報知を解除する（Ｓ２０８）。また、傾き情報に変化がなく（Ｓ２０５でＮＯ）、所定の時間が経過すると（Ｓ２０６でＹＥＳ）、不一致報知部１０７は不一致の報知を解除する（Ｓ２０８）。一方、被写体方向と画像データ方向とが一致していなければ（Ｓ２０７でＮＯ）、Ｓ２０５へ戻る。
【００７６】
そして、シャッターが押下されると（Ｓ２０９でＹＥＳ）、撮影を行い（Ｓ２１０）、処理が終了する。
【００７７】
一方、不一致の報知を行う設定になっていなければ（Ｓ２０２でＮＯ）、Ｓ２０９へ進む。また、被写体方向と画像データ方向とが一致していれば（Ｓ２０３でＹＥＳ）、Ｓ２０９へ進む。
【００７８】
以上の構成により、携帯端末１で撮影を行うときに、被写体方向と画像データ方向とが異なっていると、ユーザに対し報知される。よって、ユーザの認識のないまま被写体方向と画像データ方向とが異なることを防止できる。したがって、ユーザが画像データを表示させたときに、ユーザが認識していない、被写体方向がそろっていない画像が表示されて、ユーザが戸惑うということを防止することができる。
【００７９】
図３を用いて具体的に説明する。図３は、本実施の形態の携帯端末１を用いて撮影を行った場合の被写体方向と画像データ方向との関係を示す図である。なお、ここでは表示部１７の長手方向が保存される画像データの天地方向となるものとする。
【００８０】
図３に示す被写体３１を携帯端末１を用いて撮影する場合、構え方Ａに示すように携帯端末１を縦にする、構え方Ｂに示すように表示部１７が左にくるように携帯端末１を横にする、構え方Ｃに示すように表示部１７が右にくるように携帯端末１を横にする、等の構え方が考えられる。
【００８１】
そして、構え方Ａで撮影した場合は画像データ３２１のように被写体方向が上で、構え方Ｂで撮影した場合は画像データ３２２のように被写体方向が右で、構え方Ｃで撮影した場合は画像データ３２３のように被写体方向が左で保存される。よって、画像データ３２１、３２２、３２３を表示させた場合、画像データ３２１は被写体方向が上、画像データ３２２は被写体方向が右、画像データ３２３は被写体方向が左となる。したがって、ユーザは、このように画像データが保存されているということを認識していないと、画像データを表示させたときに戸惑うことになる。
【００８２】
本実施の形態によれば、構え方Ｂおよび構え方Ｃで撮影する場合は、ユーザに対し被写体方向と画像データ方向とが異なることが報知される。よって、被写体方向と画像データ方向とが異なるときは、ユーザがその旨、認識している。したがって、画像データを表示させたときに、ユーザが戸惑うということ防止できる。
【００８３】
また、デジタルカメラで同様の撮影を行った場合の被写体方向と画像データ方向の関係について図４を用いて説明する。図４は、デジタルカメラを用いて撮影を行った場合の被写体方向と画像データ方向の関係を示す図である。なお、ここでは、表示部の短手方向が保存される画像データの天地方向となるものとする。
【００８４】
図４に示す被写体４１をデジタルカメラ４０を用いて撮影する場合、構え方Ｄに示すようにシャッターボタン４２が上に来るように構える、構え方Ｅに示すようにシャッターボタン４２が右に来るように構える、構え方Ｆに示すようにシャッターボタン４２が左に来るように構える、等の構え方が考えられる。
【００８５】
そして、構え方Ｄで撮影した場合は画像データ４２１のように被写体方向が上で、構え方Ｅで撮影した場合は画像データ４２２のように被写体方向が左で、構え方Ｆで撮影した場合は画像データ４２３のように被写体方向が右で保存される。よって、画像データ３２１、３２２、３２３を表示させた場合、画像データ３２１は被写体方向が上、画像データ３２２は被写体方向が右、画像データ３２３は被写体方向が左となる。
【００８６】
また、本実施の形態では、被写体方向と画像データ方向とが異なっていた場合、ユーザへ報知するのみである。よって、撮影した被写体の画像データを保存するときに、画像データの方向を自動で切り替えることはなく、ユーザの認識しないまま、画像データの長手方向が縦横不規則となることがない。したがって、例えば、画像データを横長の画面で表示する場合に、横長で保存した画像データ表示画面に収まるが、縦長で保存された画像データは天地が欠けて表示されるというようなことはない。
【００８７】
なお、本実施の形態では、カメラ機能の起動により被写体方向と画像データ方向とが一致しているか否かを判断したが、被写体方向と画像データ方向とが一致しているかの判断は別のトリガーによるものであってもよい。
【００８８】
例えば、焦点の自動調節を行う焦点調整部（焦点調整手段、終了検知手段）１０６を備え、焦点調整部１０６が焦点の調節を終了したこと示す情報を傾き情報取得部１０３に送信し、被写体方向と画像データ方向とが一致しているか否かを判断する構成であってもよい。焦点の自動調節の指示をトリガーとして被写体方向と画像データ方向とが一致しているかの判断を行うことにより、以下の利点がある。
【００８９】
すなわち、焦点の自動調節の指示は、撮影の直前に行われる場合が多いので、焦点の自動調節の指示をトリガーとすれば、撮影の直前に、被写体方向と画像データ方向とが一致しているかの判断が行われることになる。よって、カメラ機能を起動させ、カメラのアングルを考察している最中に、被写体方向と画像データ方向とが一致しているかの判断が行われ、不一致の報知がされ続けるということを防止できる。
【００９０】
焦点自動調節機能を備え、焦点の自動調節の指示をトリガーとして被写体方向と画像データ方向とが一致しているかの判断を行う場合の処理の流れについて、図５を用いて説明する。図５は、焦点の自動調節の指示をトリガーとして被写体方向と画像データ方向とが一致しているかの判断を行う場合の処理の流れを示すフローチャートである。なお、図５において、図２と同じ処理を行うステップは図２と同じステップ番号を記し、その説明は省略する。
【００９１】
焦点の自動調節の指示をトリガーとして被写体方向と画像データ方向とが一致しているかの判断を行う場合、不一致報知を行う設定であれば（Ｓ２０２でＹＥＳ）、焦点の自動調節の指示があったか否かを判断する（Ｓ６０１）。そして、焦点の自動調節の指示があれば（Ｓ６０１でＹＥＳ）、不一致判断部１０５は、被写体方向と画像データ方向とが一致しているか否かを判断する（Ｓ２０３）。以降は、図２と同様である。
【００９２】
〔実施の形態２〕
本発明の他の実施の形態について図７から図９に基づいて説明すれば、以下のとおりである。なお、説明の便宜上、上記の実施の形態１において示した部材と同一の機能を有する部材には、同一の符号を付し、その説明を省略する。
【００９３】
本実施の形態に係る携帯端末（撮影記録装置）２は、表示部１７が、操作受付部１４が備えられている筐体に対し回転可能となっているものである。
【００９４】
ユーザが、表示部１７が回転可能な携帯端末２を用いて撮影を行う場合について、図８を用いて説明する。図８は、ユーザが撮影を行うときに、携帯端末２の構える方向、および表示部１７の回転方向の例を示す図である。図８に示すように、ユーザは様々な方向に携帯端末１やデジタルカメラを構えることが考えられる。そして、構える方向によっては、被写体方向と画像データ方向とは一致しない。
【００９５】
そして、一般的に、表示部が回転する撮影装置の場合、表示部が回転していない場合と回転している場合とで、画像データ方向が変わる。これにより、撮影装置が認識している画像データ方向と実際の画像データ方向とが異なってしまう可能性が生じる。
【００９６】
図９を用いて具体的に説明する。図９は、表示部が回転する撮影装置において、被写体の方向、撮影装置の方向、保存される画像データの方向、撮影装置が画像データ方向と認識している方向、および実際の画像データ方向を示す図である。
【００９７】
図９において、ＡおよびＣは、撮影装置の表示部は回転させていない。そして、Ａは撮影装置を縦にした状態で、Ｃは撮影装置を横にした状態で撮影した場合を示す。また、ＢおよびＤは、撮影装置の表示部を右方向に９０度、回転させている。そして、Ｂは、撮影装置を縦にした状態で、Ｄは撮影装置を横にした状態で撮影した場合を示す。
【００９８】
図９に示すように、Ａの場合は、撮影装置が認識している画像データ方向が上方向、実際の画像データ方向も上方向である。また、Ｂの場合は、撮影装置が認識している画像データ方向が上方向、実際の画像データ方向は右方向である。また、Ｃの場合は、撮影装置が認識している画像データ方向は左方向、実際の画像データ方向も左方向である。Ｄの場合は、撮影装置が認識している画像データ方向は左方向、実際の画像データ方向は上方向である。
【００９９】
以上のように、表示部を回転させた場合、撮影装置が認識している画像データ方向と実際の画像データ方向とが異なってしまう。よって、被写体方向と画像データ方向とが一致しているか否かを判断した場合、実際には、ＡおよびＤが一致し、ＢおよびＣが不一致であるにもかかわらず、Ａのみが一致で、Ｂ、Ｃ、Ｄが不一致と判断してしまう。
【０１００】
本実施の形態では、表示部の回転方向および回転角度を認識することにより、上記弊害を防止するものである。本実施の形態に係る携帯端末２は、図７に示すように、携帯端末１の構成に加え、回転機能部１９、および表示部回転情報取得部（表示部回転情報取得手段、画像データ方向調整手段）１０８を備えているものである。図７は、本実施の形態に係る携帯端末２のブロック図である。
【０１０１】
回転機能部１９は、表示部１７を回転させ、表示部１７の回転方向および回転角度を示す表示部回転情報を表示部回転情報取得部１０８へ送信するものである。
【０１０２】
表示部回転情報取得部１０８は、回転機能部１９から取得した表示部回転情報から記憶部１６に記憶されている画像データ方向を調整し、調整した画像データ方向を示す情報を不一致判断部１０５へ送信する。
【０１０３】
具体的に、上述した機械式振り子を備えている例で説明すると、記憶部１６に記憶されている画像データ方向が「０」、表示部回転情報が「右へ９０度」であれば、画像データ方向を「右９０度」として不一致判断部１０５へ送信する。
【０１０４】
そして、不一致判断部１０５は、被写体方向と画像データ方向とが一致しているか否かを判断するときに、表示部回転情報取得部１０８から取得した、調整された画像データ方向を用いて行う。これにより、正確に被写体方向と画像データ方向とが一致しているか否かを判断することができる。
【０１０５】
上述した図９のＢの場合で説明する。図９のＢの場合、従来であれば撮影装置が認識している画像データ方向と実際の画像データ方向とが異なっているので、正確に、被写体方向と画像データ方向とが一致しているか否かを判断できなかった。
【０１０６】
本実施の形態では、表示部１７が右方向に９０度、回転していること考慮するので、不一致判断部１０５は、画像データ方向が、記憶部１６に記憶されている画像データ方向よりも右方向に９０度、回転した方向となるということを認識できる。よって、携帯端末２が認識している画像データ方向は、実際の画像データ方向と一致し、不一致判断部１０５は、正確に、被写体方向と画像データ方向とが一致しているか否かを判断することができる。
【０１０７】
なお、上空や机上などを撮影するときには、携帯端末１、２の傾きの検出が困難となる場合がある。このように正確な検出ができない状況下では、報知をしない、もしくは、一時的に報知をしないようにする手段を具備するものであってもよい。このような、正確な検出ができない場合の判断方法としては、例えば、傾き検出部１５が重力センサであれば、仰角を測ることによって判断することが可能である。
【０１０８】
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０９】
最後に、携帯端末１、２の各ブロック、特に制御部１３の操作信号取得部１０１、不一致報知設定部１０２、傾き情報取得部１０３、被写体方向決定部１０４、不一致判断部１０５、不一致報知部１０７、および表示部回転情報取得部１０８は、ハードウェアロジックによって構成してもよいし、次のようにＣＰＵを用いてソフトウェアによって実現してもよい。
【０１１０】
すなわち、携帯端末１、２は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯端末１、２の制御プログラムのプログラムコード（実行形式プログラム、中間コードプログラム、ソースプログラム）をコンピュータで読み取り可能に記録した記録媒体を、上記の携帯端末１、２に供給し、そのコンピュータ（またはＣＰＵやＭＰＵ（microprocessor unit））が記録媒体に記録されているプログラムコードを読み出し実行することによっても、達成可能である。
【０１１１】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital video disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１１２】
また、携帯端末１、２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１３】
被写体の天方向と、外被写体を撮影した画像が保存されるときの画像データの天方向とが異なるときに、報知されるので、カメラ機能を備えた各種装置、例えばカメラ機能付き携帯端末に好適である。
【図面の簡単な説明】
【０１１４】
【図１】本発明の実施の形態を示すものであり、携帯端末の要部構成を示すブロック図である。
【図２】上記実施の形態の携帯端末において被写体方向と画像データ方向とが異なるときに報知を行う処理の流れを示すフローチャートである。
【図３】上記実施の形態において、ユーザが撮影を行うときに、携帯端末やデジタルカメラの構える方向の例を示す図である。
【図４】上記携帯端末を用いて撮影を行った場合の被写体方向と画像データ方向との関係を示す図である。
【図５】上記実施の形態のデジタルカメラを用いて撮影を行った場合の被写体方向と画像データ方向の関係を示す図である。
【図６】上記実施の形態において、焦点の自動調節の指示をトリガーとして被写体方向と画像データ方向とが一致しているかの判断を行う場合の処理の流れを示すフローチャートである。
【図７】本発明の他の実施の形態を示すものであり、携帯端末の要部構成を示すブロック図である。
【図８】上記他の実施の形態において、ユーザが撮影を行うときに、携帯端末の構える方向、および表示部の回転方向の例を示す図である。
【図９】表示部が回転する撮影装置において、被写体の方向、撮影装置の方向、保存される画像データの方向、撮影装置が画像データ方向と認識している方向、および実際の画像データ方向を示す図である。
【図１０】従来技術を示すものであり、撮影装置を所定より９０度回転させて撮影した場合の撮影画像の表示例を示す説明図である。
【図１１】従来技術を示すものであり、特許文献１に記載の技術を用いた場合に、保存される画像データを示す説明図である。
【図１２】従来技術を示すものであり、横長で保存された画像データと縦長で保存された画像データとが、それぞれ表示装置でどのように表示されるかを示す図である。
【図１３】従来技術を示すものであり、保存される画像データの上方向を示すアイコンを表示する方法についての説明図である。
【符号の説明】
【０１１５】
１、２    携帯端末（撮影記録装置）
１７    表示部
１０３    傾き情報取得部（傾き検出手段）
１０４    被写体方向決定部（被写体方向決定手段）
１０５    不一致判断部（天方向判断手段）
１０６    焦点調整部（焦点調整手段、終了検知手段）
１０７    不一致報知部（報知手段）
１０８    表示部回転情報取得部（表示部回転情報取得手段、画像データ方向調整手段）
【図１】
2010016473.tif 000003
【図２】
2010016473.tif 000004
【図３】
2010016473.tif 000005
【図４】
2010016473.tif 000006
【図５】
2010016473.tif 000007
【図６】
2010016473.tif 000008
【図７】
2010016473.tif 000009
【図８】
2010016473.tif 000010
【図９】
2010016473.tif 000011
【図１０】
2010016473.tif 000012
【図１１】
2010016473.tif 000013
【図１２】
2010016473.tif 000014
【図１３】
2010016473.tif 000015